(57)【要約】【課題】  集約印刷における論理ページのレイアウトを変更するために煩雑な操作を必要とせずに、より簡易な操作で集約印刷における論理ページのレイアウトを変更することを目的とする。【解決手段】  集約印刷の設定に基づいて、物理ページに論理ページをレイアウトして表示する。ユーザが論理ページをドラッグすると、ドラッグ先の領域がどの領域であるかに基づいて論理ページのレイアウトを変更する。【選択図】  図５
2013103476.tif 000002
【特許請求の範囲】
【請求項１】
印刷が実行されるシートの１ページに相当する物理ページに複数の論理ページを集約して印刷する集約印刷の設定を行う設定手段と、
前記設定手段で設定された集約印刷の設定に基づいて、複数の論理ページを物理ページにレイアウトして表示する表示手段と、
前記表示手段によって表示された前記複数の論理ページのうち、特定の論理ページのドラッグ操作を受け付ける受付手段と、
前記ドラッグ操作によって前記特定の論理ページが移動した場合に、前記複数の論理ページのレイアウトを変更する変更手段とを備えることを特徴とする印刷装置。
【請求項２】
前記変更手段は、前記特定の論理ページの移動先の領域に基づいてレイアウトを変更する方法を切り換えることを特徴とする請求項１に記載の印刷装置。
【請求項３】
前記変更手段は、前記表示手段によって表示されている物理ページに前記特定の論理ページを挿入するか、もしくは新たな物理ページを作成して当該新たな物理ページに前記特定の物理ページをレイアウトするかを、前記特定の論理ページの移動先の領域に基づいて決定することを特徴とする請求項１又は２に記載の印刷装置。
【請求項４】
前記変更手段は、新たな物理ページを作成して当該新たな物理ページに前記特定の論理ページをレイアウトする場合には、前記設定手段で設定された集約印刷の設定を維持してレイアウトすることを特徴とする請求項３に記載の印刷装置。
【請求項５】
前記変更手段は、新たな物理ページを作成して当該新たな物理ページに前記特定の論理ページをレイアウトする場合には、前記設定手段で設定された集約印刷の設定を解除してレイアウトすることを特徴とする請求項３に記載の印刷装置。
【請求項６】
前記変更手段は、新たな物理ページを作成して当該新たな物理ページに前記特定の論理ページをレイアウトする場合には、前記設定手段で設定された集約印刷の設定を維持するか否かをユーザの選択に基づいて決定することを特徴とする請求項３に記載の印刷装置。
【請求項７】
前記変更手段は、前記表示手段によって表示されている物理ページに前記特定の論理ページを挿入し、かつ前記設定手段で設定された集約印刷の設定に基づく最大数の論理ページが前記物理ページにレイアウトされている場合に、前記集約印刷の設定を変更することを特徴とする請求項３乃至６のいずれか１項に記載の印刷装置。
【請求項８】
前記受付手段は、前記物理ページのドラッグ操作を更に受け付けることが可能であり、
前記変更手段は、前記ドラッグ操作によって特定の物理ページが移動した場合に、前記物理ページの順番を変更することを特徴とする請求項１乃至７のいずれか１項に記載の印刷装置。
【請求項９】
前記受付手段が前記物理ページのドラッグ操作を受け付ける場合に、前記表示手段は表示する領域を拡大することを特徴とする請求項８に記載の印刷装置。
【請求項１０】
前記設定手段で設定された集約印刷の設定が変更された場合には、論理ページを回転してレイアウトすることを特徴とする請求項１乃至９のいずれか１項に記載の印刷装置。
【請求項１１】
前記論理ページの回転の向きは、ユーザの選択に基づいて決定することを特徴とする請求項１０に記載の印刷装置。
【請求項１２】
前記論理ページの回転の向きは、印刷設定に基づいて決定することを特徴とする請求項１０に記載の印刷装置。
【請求項１３】
前記表示手段はタッチパネルであり、
前記受付手段は、前記タッチパネルに対してユーザが実行したドラッグ操作を受け付けることを特徴とする請求項１乃至１２のいずれか１項に記載の印刷装置。
【請求項１４】
前記受付手段が前記論理ページのドラッグ操作を受け付ける場合に、前記表示手段は表示する領域を拡大することを特徴とする請求項１乃至１３のいずれか１項に記載の印刷装置。
【請求項１５】
印刷が実行されるシートの１ページに相当する物理ページに複数の論理ページを集約して印刷する集約印刷に関して、当該複数の論理ページのレイアウトを変更するレイアウト変更方法であって、
前記集約印刷の設定を行う設定ステップと、
前記設定ステップで設定された集約印刷の設定に基づいて、複数の論理ページを物理ページにレイアウトして表示する表示ステップと、
前記表示ステップで表示された前記複数の論理ページのうち、特定の論理ページのドラッグ操作を受け付ける受付ステップと、
前記ドラッグ操作によって前記特定の論理ページが移動した場合に、前記複数の論理ページのレイアウトを変更する変更ステップとを有することを特徴とするレイアウト変更方法。
【請求項１６】
請求項１５に記載のレイアウト変更方法をコンピュータに実行させるためのプログラム。
【発明の詳細な説明】
【技術分野】
【０００１】
本発明は、印刷装置、レイアウト変更方法、及びプログラムに関する。
【背景技術】
【０００２】
従来、ＭＦＰ（Ｍｕｌｔｉ  Ｆｕｎｃｔｉｏｎ  Ｐｅｒｉｐｈｅｒａｌ）やプリンタなどの印刷装置において、シートの節約のために複数の論理ページを１枚のシートに集約して印刷する集約印刷がある。例えば集約印刷の設定として２ｉｎ１が設定されると、２つの論理ページが１枚のシートにレイアウトされて印刷される。また、集約印刷の設定として４ｉｎ１が設定されると、４つの論理ページが１枚のシートにレイアウトされて印刷される。このように、集約印刷の設定に基づいて複数の論理ページを１枚のシートにレイアウトして印刷することで、使用するシートの枚数を節約することができる。
この集約印刷に関して、特許文献１は論理ページの１ページごとに集約印刷の設定を行う方法を開示している。特許文献１によると、例えば比較的小さい文字で記載されている論理ページは１ｉｎ１で印刷したり、比較的大きい文字で記載されているページは２ｉｎ１で印刷したりするなど、印刷物の見やすさとシートの節約の両方を考慮した印刷を実行することが可能である。
【先行技術文献】
【特許文献】
【０００３】
【特許文献１】特開２００５−３２２０４０号公報
【発明の概要】
【発明が解決しようとする課題】
【０００４】
しかしながら特許文献１は、論理ページのページ順などのレイアウトを変更したい場合には、正しいレイアウトとなるように印刷データを作り直したり、正しいレイアウトとなるように論理ページのページ番号を指定したりするなどの煩雑な操作が必要となる。
本発明はかかる点に鑑み、集約印刷における論理ページのレイアウトを変更するために煩雑な操作を必要とせずに、より簡易な操作で集約印刷における論理ページのレイアウトを変更することを目的とする。
【課題を解決するための手段】
【０００５】
上述した課題を解決するために、本発明が提供する印刷装置は、印刷が実行されるシートの１ページに相当する物理ページに複数の論理ページを集約して印刷する集約印刷の設定を行う設定手段と、前記設定手段で設定された集約印刷の設定に基づいて、複数の論理ページを物理ページにレイアウトして表示する表示手段と、前記表示手段によって表示された前記複数の論理ページのうち、特定の論理ページのドラッグ操作を受け付ける受付手段と、前記ドラッグ操作によって前記特定の論理ページが移動した場合に、前記複数の論理ページのレイアウトを変更する変更手段とを備えることを特徴とする。
【発明の効果】
【０００６】
本発明によれば、集約印刷における論理ページのレイアウトを変更するために煩雑な操作を必要とせずに、より簡易な操作で集約印刷における論理ページのレイアウトを変更することができる。
【図面の簡単な説明】
【０００７】
【図１】本発明の実施形態１における、印刷装置１００の構成を示す図である。
【図２】本発明の実施形態１における、コピー画面２００を示す図である。
【図３】本発明の実施形態１における、集約設定画面３００を示す図である。
【図４】本発明の実施形態１における、プレビュー画面４００を示す図である。
【図５】本発明の実施形態１における、レイアウトの変更の概要を説明する図である。
【図６】本発明の実施形態１における、領域の分割について説明する図である。
【図７】本発明の実施形態１における、レイアウトの変更の具体例を説明する図である。
【図８】本発明の実施形態１における、レイアウトの変更の具体例を説明する図である。
【図９】本発明の実施形態１における、レイアウトの変更の具体例を説明する図である。
【図１０】本発明の実施形態１における、レイアウトの変更の具体例を説明する図である。
【図１１】本発明の実施形態１における、レイアウトの変更の具体例を説明する図である。
【図１２】本発明の実施形態１における、レイアウトの変更の具体例を説明する図である。
【図１３】本発明の実施形態１における、領域の分割について説明する図である。
【図１４】本発明の実施形態１における、レイアウトの変更の具体例を説明する図である。
【図１５】本発明の実施形態１における、レイアウトの変更の具体例を説明する図である。
【図１６】本発明の実施形態１における、レイアウトを変更する際の処理手順を示すフローチャートである。
【図１７】本発明の実施形態１における、第１のレイアウト変更処理を示すフローチャートである。
【図１８】本発明の実施形態１における、第２のレイアウト変更処理を示すフローチャートである。
【図１９】本発明の実施形態１における、第３のレイアウト変更処理を示すフローチャートである。
【図２０】本発明の実施形態２における、レイアウトの変更の具体例を説明する図である。
【図２１】本発明の実施形態２における、レイアウトの変更の具体例を説明する図である。
【図２２】本発明の実施形態２における、第１のレイアウト変更処理を示すフローチャートである。
【図２３】本発明の実施形態３における、レイアウトの変更の具体例を説明する図である。
【図２４】本発明の実施形態３における、レイアウトの変更の具体例を説明する図である。
【発明を実施するための形態】
【０００８】
以下、本発明を実施するための最良の形態について図面を用いて説明する。なお、以下の実施の形態は特許請求の範囲に係る発明を限定するものでなく、また実施の形態で説明されている特徴の組み合わせの全てが発明の解決手段に必須のものとは限らない。
【０００９】
（実施形態１）
図１は、本実施形態における印刷装置１００の構成を示す図である。印刷装置の一例としてＭＦＰを例に説明するが、本実施形態における印刷装置はこれに限らず、プリンタ等のＳＦＰ（Ｓｉｎｇｌｅ  Ｆｕｎｃｔｉｏｎ  Ｐｅｒｉｐｈｅｒａｌ）であってもよい。
【００１０】
ＣＰＵ１０１はＲＯＭ１０２やＨＤＤ１０４に格納された制御プログラムを読み出して印刷装置１００全体の制御行う。ＲＯＭ１０２は、例えば後述するフローチャートに係る処理を実行するための制御プログラムなどの情報を格納する。ＲＡＭ１０３はＣＰＵ１０１の主メモリ、ワークエリア等の一時記憶領域として用いられる。ＨＤＤ１０４はＲＯＭ１０２と同様に、例えば制御プログラムなどの情報を格納する。
【００１１】
操作部１０５は表示部（例えばタッチパネル機能を有する液晶表示部）やキーボードを備える。操作部１０５は各種操作画面を表示したり、操作部１０５を介してユーザに入力された情報をＣＰＵ１０１に伝えたりする。
【００１２】
スキャナ１０８は原稿を読み取り、画像データを生成する。プリンタ１０７は操作部１０５を介して入力されたユーザの指示や外部Ｉ／Ｆ１０６を介して外部装置から入力されたコマンドに基づいて、シートに印刷処理を実行する。
【００１３】
通信部１０６はネットワーク１１０を介して外部のＰＣ（Ｐｅｒｓｏｎａｌ  Ｃｏｍｐｕｔｅｒ）やサーバ装置と通信を行う。
【００１４】
次に、本実施形態を説明するための具体例として、ユーザが原稿のコピーを行うための操作画面、及びユーザの操作について説明する。図２は、印刷装置１００が実行可能な機能のうちコピー機能を実行するときに操作部１０５に表示されるコピー画面２００である。本実施形態では、２枚の原稿を１ページに集約して印刷する２  ｉｎ  １印刷や、４枚の原稿を１ページに集約して印刷する４  ｉｎ  １印刷などの集約印刷を実行することができる。なお、本実施形態では、原稿１ページ分の画像のことを論理ページと呼ぶこととする。２  ｉｎ  １印刷の場合は、２つの論理ページがシートに印刷され、４  ｉｎ  １印刷の場合は、４つの論理ページがシートに印刷されることになる。また、本実施形態ではコピー機能実行時に限らず、例えば外部のＰＣから投入された印刷ジョブの設定に基づいて集約印刷を実行することも可能である。
【００１５】
本実施形態において集約印刷を実行するためには、ユーザはボタン２０１を選択する。ボタン２０１が選択されると、集約印刷の設定を行うための集約設定画面３００（図３に示す）が操作部１０５に表示される。
【００１６】
また、印刷装置１００は印刷設定として、ステイプル、両面印刷などを設定することができる。ユーザがボタン２０３を選択すると、ステイプルの設定を行うための不図示の操作画面が表示される。また、ユーザがボタン２０４を選択すると、両面印刷の設定を行うための不図示の操作画面が表示される。
【００１７】
図３は、複数の論理ページを１ページに集約して印刷する集約印刷の設定を行うための集約設定画面３００を説明する図である。本実施形態では、２ページ分の論理ページを１枚のシートに集約する２  ｉｎ  １、４ページ分の論理ページを１枚のシートに集約する４  ｉｎ  １、８ページ分の論理ページを１枚のシートに集約する８  ｉｎ  １のいずれかを集約印刷として実行可能である。ユーザがボタン３０１〜３０３のいずれかを選択しＯＫボタン３０４を押下することで、集約印刷の設定が完了する。集約設定画面３００で集約印刷の設定を行い、コピー画面２００でボタン２０２を押下すると、集約印刷の設定を反映した状態をプレビューするためのプレビュー画面４００（図４に示す）が操作部１０５に表示される。
【００１８】
図４は、プレビュー画面４００を説明する図である。プレビュー画面４００は集約設定画面３００でユーザがボタン３０１を押下し、２  ｉｎ  １が設定された状態をプレビューしている。なお、本実施形態では、実際に印刷されるシートに相当するページを「物理ページ」と呼ぶこととする。プレビュー画面４００では物理ページは４０１と４０２に相当する。また、論理ページは４０３〜４０６に相当する。
【００１９】
論理ページ４０３〜４０６は、スキャナ１０８が原稿を読み取ることで取得した画像データを用いて表示される。従って、ユーザは実際にシートに印刷される論理ページを見ながら後述する各種レイアウト変更処理を実行することができる。なお、論理ページ４０３〜４０６は、スキャナ１０８が原稿を読み取ることで取得した画像データそのものを用いずに、サムネイル画像などの表示用に生成した別の画像データを用いて表示しても良い。また、論理ページ４０３〜４０６はスキャナ１０８が原稿を読み取ることで取得した画像データに限らず、他の画像データを用いて表示しても良い。他の例としては、例えばＨＤＤ１０４に格納した画像データを用いてもよく、この場合、ＨＤＤ１０４に格納した画像データを用いて集約印刷が実行される。
【００２０】
なお、本実施形態では操作部１０５はタッチパネルで構成されていて、タッチ操作、ドラッグ操作、フリック操作等のユーザによる各種操作を受付可能である。なお、本実施形態はタッチパネルに限るものではなく、他には例えばマウスによる操作を受け付けるようにしても良い。プレビュー画面４００では論理ページ４０３〜４０６及び物理ページ４０１、４０２が表示されているが、図示しない遷移ボタンをタッチしたりフリック操作を行うことで、他の論理ページ及び物理ページを表示させることが可能である。また、印刷ボタン４０７をタッチすることで、プレビュー画面４００が表示するレイアウトに基づいて印刷が実行される。
【００２１】
次に、プレビュー画面４００を用いて、本実施形態の特徴的な構成である集約印刷における論理ページのレイアウトを変更する処理について説明する。プレビュー画面４００において、論理ページ４０４と論理ページ４０５とがユーザが意図したレイアウトとは逆になってしまった場合を考える。このような場合が発生する理由としては、例えばスキャナ１０８で原稿を読み取るときに、論理ページ４０４と４０５とに対応するそれぞれの原稿をスキャンする順番を逆にしてしまったことが考えられる。このとき、スキャナ１０８において正しい順番で再度原稿を読み取りなおせばユーザが意図したレイアウトになるが、例えば原稿が大量に存在する場合などは原稿の読み取りに時間がかかってしまい、集約印刷の完了が遅くなってしまうという課題がある。本実施形態はこの課題を解決するための方法を提供するものである。
【００２２】
プレビュー画面４００においてユーザが特定の論理ページとして論理ページ４０５をタッチしてドラッグすると、図５（ａ）のプレビュー画面５００のように、論理ページ４０５が移動する。なお、ユーザによって選択された論理ページを他の論理ページと区別可能にするために、プレビュー画面５００のように選択された論理ページを傾斜させて表示しても良いし、色を変えるなどの強調表示を行っても良い。そして論理ページ４０５を論理ページ４０３と論理ページ４０４の間までドラッグしてから指を離すことにより、論理ページ４０３と論理ページ４０４の間に論理ページ４０５が挿入され、図５（ｂ）のプレビュー画面５１０のようにレイアウトが変更される。プレビュー画面５１０とプレビュー画面４００とを比べると、論理ページ４０４と論理ページ４０５のレイアウトが入れ替わっていることがわかる。
【００２３】
次に、図５で説明したようなドラッグによる論理ページの移動と、移動先のエリアに基づくレイアウトの変更について詳しく説明する。
【００２４】
図６は、集約印刷の設定として２  ｉｎ  １が設定された場合のレイアウトを示す図である。本実施形態では、図６のようにエリアＡ〜Ｉの９つのエリアに分割し、論理ページがどのエリアに移動したかに基づいてレイアウトの変更を行う。ここでは例として論理ページ４０５をドラッグする場合について説明する。本実施形態では、ドラッグによる論理ページ４０５の移動先のエリアに応じてレイアウトの変更の方法が異なる。
【００２５】
まず、論理ページ４０５の移動先の領域がエリアＡ〜Ｃ及びエリアＧ〜Ｉのいずれかである場合について、以下の４パターンを説明する。
【００２６】
（１）  エリアＡに移動する場合
図７（ａ）は、論理ページ４０５をエリアＡにドラッグした場合を示す図である。この場合、論理ページ４０３の前、つまり先頭に論理ページ４０５が挿入されることになる。なお、論理ページ４０５がどのエリアに移動したかは、論理ページ４０５の中心である中心位置７０１がどのエリア内に存在するか否かに基づいて決定する。そしてエリアＡで論理ページ４０５から指を離すと、図８（ａ）のように論理ページ４０３の前に論理ページ４０５が挿入される。また、論理ページ４０５がエリアＡにドラッグされている場合には、７０２のように論理ページ４０５が論理ページ４０３の前に挿入されることを表示することで、ユーザはどのように論理ページのレイアウトが変更されるかを把握することができる。
【００２７】
（２）  エリアＢに移動する場合
図７（ｂ）は、論理ページ４０５をエリアＢにドラッグした場合を示す図である。エリアＢで論理ページ４０５から指を離すと、図８（ｂ）のように論理ページ４０３の後に論理ページ４０５が挿入される。また、論理ページ４０５がエリアＢにドラッグされている場合は、７０３のように論理ページ４０５が論理ページ４０３の後に挿入されることを表示する。
【００２８】
（３）  エリアＣ、Ｇ、Ｈに移動する場合
図７（ｃ）は、論理ページ４０５をエリアＣにドラッグした場合を示す図である。論理ページ４０５はもともと論理ページ４０４の後にレイアウトされているため、エリアＣで論理ページ４０５から指を離したとしてもレイアウトの変更は行われない。エリアＧ及びエリアＨに論理ページ４０５をドラッグした場合も、レイアウトの変更は行われない。
【００２９】
（４）  エリアＩに移動する場合
図７（ｄ）は、論理ページ４０５をエリアＩにドラッグした場合を示す図である。エリアＩで論理ページ４０５から指を離すと、図８（ｃ）のように論理ページ４０６の後に論理ページ４０５が挿入される。また、論理ページ４０５がエリアＩにドラッグされている場合は、７０４のように論理ページ４０５が論理ページ４０６の後に挿入されることを表示する。
【００３０】
また、図８（ｄ）は上述した各例の変形例を説明する図である。図８（ｄ）では、ユーザのドラッグによって移動した論理ページ４０５が元々どの領域にレイアウトされていたのかを、８０１で示すことを特徴とする。また、８０２で論理ページ４０５の移動先がどこかを示すことができる。
【００３１】
次に、論理ページ４０５の移動先の領域がエリアＤ〜Ｆのいずれかである場合について、具体例を以下で説明する。
【００３２】
図９（ａ）は、論理ページ４０５をエリアＥにドラッグした場合を示す図である。なお、エリアＤ、Ｆにドラッグした場合も同様の処理となるため、論理ページ４０５をエリアＤ、Ｆにドラッグした場合の説明は省略する。論理ページ４０５をエリアＥにドラッグすると、９０１が表示され、ユーザは新規ページ（新たな物理ページ）が作成されることを把握することができる。
【００３３】
論理ページ４０５をエリアＥにドラッグして指を離すと、新規ページの作成の際に集約印刷の設定を維持するか否かをユーザに選択させるために、図９（ｂ）の９０２を表示する。９０２でユーザが「Ｙｅｓ」を選択すると、集約印刷の設定（ここでは２  ｉｎ  １）を維持したまま新規ページが作成される。このときのレイアウトを図１０（ａ）に示す。物理ページ１００１は、論理ページ４０５をエリアＥにドラッグしたことによって新たに作成された物理ページであり、９０２でユーザが集約印刷の設定を維持することを選択したため、２  ｉｎ  １のレイアウトとなる。このように集約印刷の設定を維持したまま新たな物理ページを作成することにより、論理ページ全体のレイアウトを統一することができる。
【００３４】
一方、９０２でユーザが「Ｎｏ」を選択すると、集約印刷の設定を解除して新規ページが作成される。このときのレイアウトを図１０（ｂ）に示す。物理ページ１００２は、論理ページ４０５をエリアＥにドラッグしたことによって新たに作成された物理ページであり、９０２でユーザが集約印刷の設定を維持しないことを選択したため、１  ｉｎ  １のレイアウトとなる。論理ページ１００３は論理ページ４０５のレイアウトが１  ｉｎ  １に変更された状態を示していて、論理ページ４０５が右回転している。このように集約印刷の設定を解除して１  ｉｎ  １のレイアウトすることにより、物理ページ１００２の領域を最大限に利用することが可能となる。
【００３５】
なお、集約印刷の設定の解除によって論理ページの回転が必要になった場合は、右回転と左回転のどちらを行うのかユーザに選択させても良いし、どちらを行うかを予め印刷装置１００に登録しておいてもよい。また、右回転と左回転のどちらを行うかをユーザが一度選択した場合には、以降に論理ページの回転が必要になった場ときにユーザが一度選択した回転を自動的に実行しても良い。
【００３６】
なお、本実施形態では、新たに物理ページを作成する場合に、集約印刷の設定を維持するか否かをユーザが選択する構成を説明したが、他の形態であっても構わない。例えば、集約印刷の設定を維持するか否かを予め印刷装置１００に登録しておく構成であっても構わない。
【００３７】
ここまでユーザが論理ページをドラッグしてレイアウトを変更する構成について説明したが、本実施形態では物理ページをドラッグして物理ページの順番を変更することも可能である。この点に関して、図１１を用いて詳しく説明する。本実施形態では各物理ページに論理ページがレイアウトされているため、物理ページの順番を変更することは論理ページのレイアウトを変更することにもなる。
【００３８】
図１１（ａ）は集約印刷の設定として２  ｉｎ  １が設定されたときに操作部１０５に表示されるプレビュー画面の一部である。図１１（ａ）では、集約印刷の設定を反映した状態のうち、一部の領域として物理ページ１１０１と物理ページ１１０２が表示されている。物理ページ１１０１には論理ページ１１０３と論理ページ１１０４がレイアウトされていて、物理ページ１１０２には論理ページ１１０５が表示されている。
【００３９】
ここで、論理ページの選択と物理ページの選択の違いについて説明する。上述した論理ページの選択では、論理ページをタッチすると説明した。一方物理ページを選択するためには、本実施形態では所望の物理ページを所定時間以上タッチすることとする。印刷装置１００のＣＰＵ１０１はユーザが操作部１０５のタッチパネルをタッチする時間を計測していて、ユーザが例えば論理ページ１１０３を所定時間未満タッチした場合は、論理ページ１１０３を選択したと判定する。一方、ユーザが例えば物理ページ１１０１を所定時間以上タッチした場合は、物理ページ１１０１を選択したと判定する。なお、ユーザが論理ページ１１０３や論理ページ１１０４を所定時間以上タッチした場合は、ＣＰＵ１０１はその操作を物理ページ１１０１の選択と判定する。
【００４０】
図１１（ａ）においてユーザが物理ページ１１０１を選択すると、操作部１０５に図１１（ｂ）が表示される。図１１（ｂ）では表示する領域をレイアウト全体に拡大することで、物理ページの順番を変更し易くする。ユーザが選択した物理ページ１１０１は、ユーザが他の物理ページと識別可能となるように強調表示される。なお、本実施形態では物理ページ１１０１の枠を太くすることで強調表示しているが、他に色を変える、ポップアップを表示するなど、他の形態であっても構わない。
【００４１】
図１１（ｂ）においてユーザが物理ページ１１０１をドラッグして所望の領域で指を離すことにより、その領域に物理ページ１１０１が移動し、物理ページの順番が変更される。この物理ページの順番の変更について、図１１（ｃ）を用いて説明する。本実施形態では、物理ページのページ数に基づいて図１１（ｃ）のように領域を分割して、物理ページがどの領域に移動したかに応じて物理ページの順番が変更される。図１１（ｃ）では、物理ページが４ページ分あるため、５つの領域に分割される。
【００４２】
ユーザが物理ページ１１０１をドラッグしてエリアＡで指を離すと、物理ページ１１０１が物理ページ４０１の前に移動し、図１２（ａ）が示す物理ページの順番に変更される。また、ユーザが物理ページ１１０１をドラッグしてエリアＢで指を離すと、物理ページ１１０１が物理ページ４０１と物理ページ４０２との間に移動し、図１２（ｂ）が示す物理ページの順番に変更される。
【００４３】
ユーザが物理ページ１１０１をエリアＣもしくはエリアＤにドラッグして指を離した場合、物理ページ１１０１の移動は発生しないため、物理ページの順番は変更されない。
【００４４】
ユーザが物理ページ１１０１をドラッグしてエリアＥで指を離すと、物理ページ１１０１が物理ページ１１０２の後に移動し、図１２（ｃ）が示す物理ページの順番に変更される。
【００４５】
なお、図１１（ｂ）ではユーザが物理ページを選択したときに表示する領域を拡大すると説明したが、論理ページを選択してドラッグするときにも表示する領域を拡大しても良い。また、図１１（ｂ）のように表示する領域を拡大して物理ページや論理ページを移動し、そして移動が完了した場合には、図１１（ａ）のような表示に戻しても良い。
【００４６】
次に、本実施形態におけるレイアウトの他の変更方法として、論理ページを２つドラッグしてレイアウトを変更する方法について説明する。
【００４７】
図１３は、集約印刷の設定として２  ｉｎ  １が設定された場合の論理ページのレイアウトを示し、操作部１０５に表示される。図１３によると、物理ページ１３０１、物理ページ１３０２、物理ページ１３０３の３ページ分の物理ページが表示されていて、それぞれに論理ページ１３０４〜１３０９がレイアウトされる。ここでは表示領域をエリアＡ〜Ｒの１８の領域に分割し、論理ページがどの領域にドラッグしたかに基づいて論理ページのレイアウトの変更を行う。図１４と図１５を用いて、論理ページ１３０５と論理ページ１３０６の２つの論理ページがドラッグされる場合の具体例として、以下の３パターンを説明する。
【００４８】
（パターン１）２つの論理ページがそれぞれエリアＡ〜Ｃ、Ｇ〜Ｉ、Ｍ〜Ｏのいずれかに移動する場合
図１４（ａ）は、論理ページ１３０５をエリアＩに、論理ページ１３０６をエリアＮにドラッグした場合を示す図である。この場合、該当する箇所に論理ページが挿入されることになる。図１４（ａ）では、論理ページ１３０７の後に論理ページ１３０５が、論理ページ１３０８の後に論理ページ１３０６が挿入される。論理ページ１３０５をエリアＩに、論理ページ１３０６をエリアＮにドラッグしてそれぞれから指を離すと、図１５（ａ）のように論理ページのレイアウトが変更される。
【００４９】
（パターン２）一方の論理ページがエリアＡ〜Ｃ、Ｇ〜Ｉ、Ｍ〜Ｏのいずれかに、もう一方の論理ページがエリアＤ〜Ｆ、Ｊ〜Ｌ、Ｐ〜Ｒのいずれかに移動する場合
図１４（ｂ）は、論理ページ１３０５をエリアＩに、論理ページ１３０６をエリアＱにドラッグした場合を示す図である。この場合、論理ページ１３０７の後に論理ページ１３０５が挿入され、さらに、物理ページ１３０３の後に新たな物理ページが作成される。論理ページ１３０５をエリアＩに、論理ページ１３０６をエリアＱにドラッグしてそれぞれから指を離すと、図１５（ｂ）のように論理ページのレイアウトが変更される。図１５（ｂ）の物理ページ１５０１は、新たに作成された物理ページを示す。
【００５０】
（パターン３）２つの論理ページの移動先がエリアＤ〜Ｆ、Ｊ〜Ｌ、Ｐ〜Ｒのいずれかである場合
図１４（ｃ）は、論理ページ１３０５をエリアＬに、論理ページ１３０６をエリアＱにドラッグした場合を示す図である。図１４（ｃ）では、物理ページ１３０２と物理ページ１３０３の後にそれぞれ新たな物理ページが作成される。論理ページ１３０５をエリアＬに、論理ページ１３０６をエリアＱにドラッグしてそれぞれから指を離すと、図１５（ｃ）のように論理ページのレイアウトが変更される。図１５（ｃ）の物理ページ１５０２と１５０３は、新たに作成された物理ページを示す。なお、新たな物理ページを作成する際に、図９の９０２のように集約印刷の設定を維持するか否かをユーザに選択させてもよい。
【００５１】
また、図１４（ｄ）は、論理ページ１３０５をエリアＰに、論理ページ１３０６をエリアＱにドラッグした場合を示す図である。本実施形態ではエリアＰ、Ｑ、Ｒをそれぞれ異なる領域として分割して管理しているが、論理ページのレイアウトの変更の際にはエリアＰ、Ｑ、Ｒは同じ領域として扱われる。同様に、エリアＤ、Ｅ、Ｆも同じ領域、エリアＪ、Ｋ、Ｌも同じ領域であると扱われる。図１４（ｄ）では、物理ページ１３０３の後に新たな物理ページが作成され、さらに、論理ページ１３０５と論理ページ１３０６とが２  ｉｎ  １のレイアウトとなる。論理ページ１３０５をエリアＰに、論理ページ１３０６をエリアＱにドラッグしてそれぞれから指を離すと、図１５（ｄ）のように論理ページのレイアウトが変更される。図１５（ｄ）の物理ページ１５０４は、新たに作成されたシートを示す。
【００５２】
次に、本実施形態における論理ページのレイアウト変更処理について、図１６のフローチャートを用いて説明する。なお、図１６のステップＳ１６０１〜Ｓ１６０８の各ステップは、印刷装置１００が備えるＣＰＵ１０１がＲＯＭ１０２等のメモリに格納されたプログラムをＲＡＭ１０３に展開して実行することによって処理される。
【００５３】
ユーザが図３の集約設定画面３００で集約印刷の設定を行い、そして図２のコピー画面２００でボタン２０２を押下すると、ステップＳ１６０１において、集約印刷の設定を反映した状態をプレビューするためのプレビュー画面が操作部１０５に表示される。このとき表示されるプレビュー画面は例えば図４のプレビュー画面４００であり、ユーザは物理ページや論理ページを選択してドラッグすることで、所望のレイアウトに変更することができる。
【００５４】
次にステップＳ１６０２において、ＣＰＵ１０１は集約印刷のレイアウトを変更するか否かを判定する。本実施形態では、ユーザがプレビュー画面４００にて物理ページもしくは論理ページをタッチして選択した場合に、ＣＰＵ１０１はレイアウトを変更すると判定してステップＳ１６０３に進む。一方、レイアウトを変更しないとＣＰＵ１０１が判定した場合は、ステップＳ１６０８に進む。
【００５５】
次にステップＳ１６０３において、プレビュー画面４００においてユーザがタッチしたページ、つまりユーザが選択したページが、論理ページであるか否かを判定する。図１１で説明したが、本実施形態では、所定時間以上のタッチであるか否かに基づいて、論理ページの選択と物理ページの選択が切り替わることとする。具体的に説明すると、プレビュー画面４００にて論理ページ４０３をユーザが所定時間未満タッチした場合は、ＣＰＵ１０１はユーザが論理ページ４０３を選択したと判定する。一方、プレビュー画面４００にて論理ページ４０３や論理ページ４０４をユーザが所定時間以上タッチした場合は、ＣＰＵ１０１はユーザが物理ページ４０１を選択したと判定する。ステップＳ１６０３において、ユーザが論理ページを選択したとＣＰＵ１０１が判定するとステップＳ１６０４に進み、ユーザが物理ページを選択したとＣＰＵ１０１が判定するとステップＳ１６０７に進む。
【００５６】
ユーザが論理ページを選択した場合は、ステップＳ１６０４において、ＣＰＵ１０１はユーザが選択した論理ページが１つであるか２つであるかを判定する。
【００５７】
ステップＳ１６０４においてユーザが選択した論理ページの数が１つであるとＣＰＵ１０１が判定した場合は、ステップＳ１６０５に進み、ＣＰＵ１０１は１つの論理ページの移動先に基づいて論理ページのレイアウトを変更する第１のレイアウト変更処理を実行する。第１のレイアウト変更処理については、後述する図１７のフローチャートを用いて詳しく説明する。ステップＳ１６０５でＣＰＵ１０１が第１のレイアウト変更処理を実行すると、ステップＳ１６０８に進む。
【００５８】
ステップＳ１６０４においてユーザが選択した論理ページの数が２つであるとＣＰＵ１０１が判定した場合は、ステップＳ１６０６に進み、ＣＰＵ１０１は２つの論理ページの移動先に基づいて論理ページのレイアウトを変更する第２のレイアウト変更処理を実行する。第２のレイアウト変更処理については、後述する図１８のフローチャートを用いて詳しく説明する。ステップＳ１６０６でＣＰＵ１０１が第２のレイアウト変更処理を実行すると、ステップＳ１６０８に進む。
【００５９】
ステップ１６０３においてユーザが物理ページを選択したとＣＰＵ１０１が判定すると、ステップＳ１６０７に進み、ＣＰＵ１０１は物理ページの移動先に基づいて物理ページの順番を変更する第３のレイアウト変更処理を実行する。第３のレイアウト変更処理については、後述する図１９のフローチャートを用いて詳しく説明する。ステップＳ１６０７でＣＰＵ１０１が第３のレイアウト変更処理を実行すると、ステップＳ１６０８に進む。
【００６０】
次にステップＳ１６０８において、ＣＰＵ１０１は、集約設定画面３００で設定された集約印刷の設定、又は各種レイアウト変更処理で変更された論理ページのレイアウトに基づいて、印刷を実行するか否かを判定する。プレビュー画面４００の印刷ボタン４０７をユーザがタッチしたり、不図示のハードウェアキーである印刷実行ボタンをユーザが押下した場合に、ＣＰＵ１０１は印刷を実行すると判定してステップＳ１６０９に進む。一方、ＣＰＵ１０１が印刷を実行しないと判定した場合には、ステップＳ１６０２に戻る。
【００６１】
ステップＳ１６０９において、集約設定画面３００で設定された集約印刷の設定、又は各種レイアウト変更処理で変更された論理ページのレイアウトに基づいて、プリンタ１０７は印刷を行う。
【００６２】
次に、図１６のステップＳ１６０５の第１のレイアウト変更処理について、図１７のフローチャートを用いて説明する。なお、図１７のステップＳ１７０１〜Ｓ１７０８の各ステップは、印刷装置１００が備えるＣＰＵ１０１がＲＯＭ１０２等のメモリに格納されたプログラムをＲＡＭ１０３に展開して実行することによって処理される。
【００６３】
第１のレイアウト変更処理は、図７や図９で説明したように、ユーザのドラッグによる１つの論理ページの移動先に基づいて論理ページのレイアウトを変更する処理である。まずステップＳ１７０１において、ＣＰＵ１０１は論理ページの移動先が確定したか否かを判定する。本実施形態では、ユーザがタッチもしくはドラッグした論理ページから指を離すことにより、論理ページの移動先が確定する。ＣＰＵ１０１が論理ページの移動先が確定したと判定するとステップＳ１７０２に進み、論理ページの移動先が確定していないと判定すると論理ページの移動先が確定するまで待機する。
【００６４】
次にステップＳ１７０２において、ＣＰＵ１０１は論理ページの移動先がどの領域であるかに基づいて、論理ページのレイアウトを変更する必要があるか否かを判定する。ステップＳ１７０２の判定について図６を用いて説明する。図６において、ユーザが論理ページ４０５をドラッグして論理ページのレイアウトを変更するとする。このとき、ユーザが論理ページ４０５から指を離した領域がエリアＣ、Ｇ、Ｈである場合は、論理ページ４０５のレイアウトの変化は発生しないため、論理ページのレイアウトの変更は必要ではないとＣＰＵ１０１が判定し、第１のレイアウト変更処理を終了する。一方、ユーザが論理ページ４０５から指を離した領域がエリアＣ、Ｇ、Ｈ以外の両機である場合は、論理ページ４０５のレイアウトの変化が発生するため、論理ページのレイアウトの変更は必要であるとＣＰＵ１０１が判定し、ステップＳ１７０３に進む。
【００６５】
次にステップＳ１７０３において、ＣＰＵ１０１は、論理ページの移動先の領域がどの領域であるかに基づいて、新たな物理ページを作成するか否かを判定する。図６を用いて説明すると、論理ページの移動先がエリアＡ〜Ｃ、Ｇ〜Ｉのいずれかである場合は、新たな物理ページを作成しないとＣＰＵ１０１が判定し、ステップＳ１７０４に進む。一方、論理ページの移動先がエリアＤ〜Ｆのいずれかである場合は、新たな物理ページを作成するとＣＰＵ１０１が判定し、ステップＳ１７０５に進む。
【００６６】
ステップＳ１７０４において、ＣＰＵ１０１は、移動先の領域にユーザがドラッグした論理ページを挿入する。図７（ｂ）のように論理ページ４０５をエリアＢにドラッグすると、論理ページ４０３と論理ページ４０４の間に論理ページ４０５が挿入され、レイアウトは図８（ｂ）のように変更される。レイアウトが変更されると、ステップＳ１７０８において、操作部１０５はプレビュー画面４００のように変更後の論理ページのレイアウトを表示する。
【００６７】
次にステップＳ１７０５の説明を行う。ステップＳ１７０５において、ＣＰＵ１０１は新たな物理ページを作成するときに集約印刷の設定を維持するか否かを判定する。具体的には、図９（ｂ）の９０２のように集約印刷の設定を維持するか否かをユーザに選択させる。ユーザが９０２でＹｅｓを選択すると、ステップＳ１７０５においてＣＰＵ１０１は集約印刷の設定を維持すると判定し、ステップＳ１７０６に進む。一方、ユーザが９０２でＮｏを選択すると、ステップＳ１７０５においてＣＰＵ１０１は集約印刷の設定を維持しないと判定し、ステップＳ１７０７に進む。
【００６８】
次にステップＳ１７０６の説明を行う。ステップＳ１７０６において、ＣＰＵ１０１は、移動先の領域に新たな物理ページを作成し、当該物理ページにユーザがドラッグした論理ページがレイアウトされる。このとき、集約印刷の設定は維持されて論理ページがレイアウトされる。具体的に説明すると、集約印刷の設定が２  ｉｎ  １であった場合は、新規作成された物理ページにレイアウトされる論理ページのレイアウトは図１０（ａ）の物理ページ１００１のように２  ｉｎ  １のレイアウトになる。このように集約印刷の設定を維持したまま新たな物理ページを作成することにより、論理ページ全体のレイアウトを統一することができる。新たな物理ページを作成すると、ステップＳ１７０８において、操作部１０５は変更後の論理ページのレイアウトを表示する。
【００６９】
次にステップＳ１７０７の説明を行う。ステップＳ１７０７において、ＣＰＵ１０１は、移動先の領域に新たな物理ページを作成し、当該物理ページにユーザがドラッグした論理ページがレイアウトされる。このとき、集約印刷の設定は解除されて論理ページがレイアウトされる。具体的に説明すると、集約印刷の設定が２  ｉｎ  １であったとしても、新規作成された物理ページにレイアウトされる論理ページのレイアウトは図１０（ｂ）の物理ページ１００１のように２  ｉｎ  １の設定は解除されて、１  ｉｎ  １のレイアウトになる。このように集約印刷の設定を解除して論理ページをレイアウトすることにより、物理ページの領域を最大限に利用することが可能となる。新たな物理ページを作成すると、ステップＳ１７０８において、操作部１０５はプレビュー画面４００のように変更後のレイアウトを表示する。なお、新規作成された物理ページで集約印刷の設定を解除するときに、他の物理ページの集約印刷の設定を解除するようにしても良い。
【００７０】
次に、図１６のステップＳ１６０６の第２のレイアウト変更処理について、図１８のフローチャートを用いて説明する。なお、図１８のステップＳ１８０１〜Ｓ１８１１の各ステップは、印刷装置１００が備えるＣＰＵ１０１がＲＯＭ１０２等のメモリに格納されたプログラムをＲＡＭ１０３に展開して実行することによって処理される。
【００７１】
第２のレイアウト変更処理は、図１４で説明したように、ユーザのドラッグによる２つの論理ページの移動先に基づいて論理ページのレイアウトを変更する処理である。まずステップＳ１８０１において、２つの論理ページの移動先が確定したか否かを判定する。本実施形態では、ユーザがタッチもしくはドラッグした論理ページから指を離すことにより、２つの論理ページの移動先が確定する。ＣＰＵ１０１が論理ページの移動先が確定したと判定するとステップＳ１８０２に進み、論理ページの移動先が確定していないと判定すると論理ページの移動先が確定するまで待機する。
【００７２】
次にステップＳ１８０２において、ＣＰＵ１０１は、新たな物理ページを１ページ作成して２つの論理ページを当該物理ページにレイアウトするか否かを判定する。例えば図１４（ｄ）のように２つの論理ページがそれぞれエリアＰ、Ｑ、Ｒのいずれかに移動した場合に、ＣＰＵ１０１は新たな物理ページを１ページ作成して２つの論理ページを当該物理ページにレイアウトすると判定し、ステップＳ１８０３に進む。一方、例えば図１４（ａ）〜（ｃ）の場合は、ステップＳ１８０２においてＣＰＵ１０１は新たな物理ページを１ページ作成して２つの論理ページを当該物理ページにレイアウトしないと判定し、ステップＳ１８０４に進む。
【００７３】
次にステップＳ１８０３の説明を行う。ステップＳ１８０３において、ＣＰＵ１０１は２つの論理ページの移動先の領域に新たな物理ページを作成し、さらに、２つの論理ページを集約印刷の設定に基づいてレイアウトする。具体的には、図１４（ｄ）のように論理ページ１３０５と１３０６とをそれぞれエリアＰ、エリアＱにドラッグした場合には、図１５（ｄ）のように物理ページ１５０４が新たに作成され、論理ページ１３０５と１３０６が２  ｉｎ  １のレイアウトとなる。論理ページのレイアウトが変更されると、操作部１０５は変更後の論理ページのレイアウトを表示する。
【００７４】
次にステップＳ１８０４の説明を行う。ステップＳ１８０４において、ＣＰＵ１０１は２つの論理ページのそれぞれに対して第１のレイアウト処理を実行する。第１のレイアウト変更処理については図１７で説明したため、ここでの説明は省略する。
【００７５】
次に、図１６のステップＳ１６０７の第３のレイアウト変更処理について、図１９のフローチャートを用いて説明する。なお、図１９のステップＳ１９０１〜Ｓ１９０３の各ステップは、印刷装置１００が備えるＣＰＵ１０１がＲＯＭ１０２等のメモリに格納されたプログラムをＲＡＭ１０３に展開して実行することによって処理される。
【００７６】
第３のレイアウト変更処理は、図１１で説明したように、ユーザのドラッグによる物理ページの移動先に基づいて物理ページの順番を変更する処理である。まずステップＳ１９０１において、ＣＰＵ１０１は物理ページの移動先が確定したか否かを判定する。本実施形態では、ユーザがタッチもしくはドラッグした物理ページから指を離すことにより、物理ページの移動先が確定する。ステップＳ１９０１においてＣＰＵ１０１が物理ページの移動先が確定したと判定するとステップＳ１９０３に進み、物理ページの移動先が確定していないと判定すると物理ページの移動先が確定するまで待機する。
【００７７】
次にステップＳ１９０２において、ＣＰＵ１０１は物理ページの移動先がどの領域であるか否かに基づいて、物理ページの順番を変更する必要があるか否かを判定する。この判定について図１１（ｃ）を用いて説明する。図１１（ｃ）において、ユーザが物理ページ１１０１をドラッグすることとする。このとき、ユーザが物理ページ１１０１から指を離した領域がエリアＣ、Ｄである場合は、物理ページの順番は変化しないため、物理ページの順番の変更は必要ではないとＣＰＵ１０１が判定し、第３のレイアウト変更処理を終了する。一方、ユーザが物理ページ１１０１から指を離した領域がエリアＡ、Ｂ、Ｅである場合は、物理ページの順番がするため、物理ページの順番の変更が必要であるとＣＰＵ１０１が判定し、ステップＳ１９０３に進む。
【００７８】
ステップＳ１９０３の説明を行う。ステップＳ１９０３において、ＣＰＵ１０１は移動先の領域に物理ページを挿入する。図１１（ｃ）を用いて具体例を説明すると、ユーザが物理ページ１１０１をドラッグしてエリアＢで指を離すと、ＣＰＵ１０１は物理ページ１１０１を物理ページ４０１と物理ページ４０２の間に挿入する。ステップＳ１９０３で物理ページの順番が変更されると、ステップＳ１９０４において、操作部１０５は順番が変更された物理ページを表示する。
【００７９】
以上のように、本実施形態によれば、集約印刷の設定に基づく論理ページのレイアウトを変更するために、ユーザは論理ページもしくは物理ページをドラッグすればよい。従って、ユーザは例えば専用の設定画面で論理ページのレイアウトを変更するなどの煩雑な操作を必要とせず、より簡易な操作で論理ページのレイアウトを変更することができる。
【００８０】
（実施形態２）
実施形態１の第１のレイアウト変更処理では、例えば図６のエリアＡ〜Ｃ及びＧ〜Ｉのいずれかに論理ページを移動した場合に、移動先の領域に当該論理ページを挿入することで論理ページのレイアウトの変更を行った。つまり、実施形態１の第１のレイアウト変更処理では、集約印刷の設定を変更することなく論理ページの挿入を行うことを特徴とする。これに対して本実施形態では、論理ページを挿入するだけではなく、集約印刷の設定も変更することを特徴とする。
【００８１】
図２０及び図２１は、本実施形態における論理ページのレイアウトの変更について説明する図である。
【００８２】
図２０（ａ）は、集約設定画面３００で２  ｉｎ  １が選択され、さらにコピー画面２００でボタン２０２が押下された場合に操作部１０５に表示されるプレビュー画面の一部を示す図である。図２０（ａ）には物理ページ２００１と２００２が表示されている。そして論理ページ２００３と２００４が物理ページ２００１にレイアウトされていて、論理ページ２００５と２００６が物理ページ２００２にレイアウトされている。図２１（ａ）は図２０（ａ）が操作部１０５に表示されているときの全体のレイアウトを示す図である。
【００８３】
図２０（ｂ）はユーザが論理ページ２００５をタッチして、論理ページ２００５をエリアＡにドラッグして移動させた場合を示す図である。ユーザがエリアＡで論理ページ２００５から指を離すと、図２０（ｃ）の２００７のように、集約印刷の設定を現在の設定から変更するか否かをユーザに選択させるための表示がなされる。２００７が表示されるのは、論理ページの移動先の物理ページに既に集約印刷の設定に基づく最大数の論理ページがレイアウトされているからである。
【００８４】
２００７においてユーザがＮｏを選択すると、実施形態１と同様に２  ｉｎ  １のままで論理ページ２００３の前に論理ページ２００５が挿入される。一方、２００７においてユーザがＹｅｓを選択すると、集約印刷の設定を２  ｉｎ  １から４  ｉｎ  １に変更したうえで論理ページ２００３の前に論理ページ２００５が挿入される。このときの全体のレイアウトを図２１（ｂ）に示す。このように、集約印刷の設定を２  ｉｎ  １から４  ｉｎ  １に変更してレイアウトすることで、ユーザが選択した論理ページ２００５を論理ページ２００３、２００４と同じ物理ページにレイアウトすることができる。
【００８５】
なお、本実施形態では領域２１０６のような空白を残す構成を説明したが、他の形態であっても構わない。例えば、領域２１０６のような空白を残すか否かをユーザに選択させる構成にしてもよいし、領域２１０６のような空白を残さないようにしてもよい。
【００８６】
さらに本実施形態では、論理ページの移動先の物理ページに対する集約印刷の設定を変更した場合に、当該変更を他の物理ページにも適用することができる。２００７においてユーザがＹｅｓを選択すると、図２０（ｄ）の２００８が表示され、ユーザは集約印刷の設定の変更を他の物理ページにも反映させるか否かを選択する。２００８においてユーザがＹｅｓを選択すると、物理ページ２００１以外のすべての物理ページに対しても集約印刷の設定が２  ｉｎ  １から４  ｉｎ  １に変更される。このときの全体のレイアウトを図２１（ｃ）に示す。一方、２００８においてユーザがＮｏを選択すると、物理ページ２００１のみ集約印刷の設定が２  ｉｎ  １から４  ｉｎ  １に変更される。このときの全体のレイアウトを図２１（ｂ）に示す。
【００８７】
なお、本実施形態では、論理ページの移動先の物理ページに対する集約印刷の設定を変更した場合に、当該変更を他の物理ページにも適用するか否かをユーザが選択する構成を説明したが、他の形態であっても構わない。例えば、集約印刷の設定の変更を他の物理ページにも適用するか否かを予め印刷装置１００に登録しておく構成であっても構わない。
【００８８】
次に、本実施形態における第１のレイアウト変更処理について、図２２のフローチャートを用いて説明する。なお、図２２の各ステップは、印刷装置１００が備えるＣＰＵ１０１がＲＯＭ１０２等のメモリに格納されたプログラムをＲＡＭ１０３に展開して実行することによって処理される。図１７と同じ番号のステップは、図１７のフローチャートと同様の処理であるため、説明は省略する。
【００８９】
ステップＳ１７０３においてＮｏと判定されると、ステップＳ２２０１において、ＣＰＵ１０１は集約印刷の設定を変更するか否かを判定する。本実施形態では、図２０（ｃ）の２００７においてユーザがＹｅｓを選択した場合に、集約印刷の設定を変更するとＣＰＵ１０１が判定し、ステップＳ２２０２に進む。一方、２００７においてユーザがＮｏを選択した場合、もしくは論理ページの移動先の物理ページに集約印刷の設定に基づく最大数の論理ページがレイアウトされていない場合に、集約印刷の設定を変更しないとＣＰＵ１０１が判定し、ステップＳ１７０４に進む。
【００９０】
次にステップＳ２２０２の説明を行う。ステップＳ２２０２において、ＣＰＵ１０１は、論理ページの移動先の物理ページに対して実行される集約印刷の設定の変更を、他の物理ページにも反映するか否かを判定する。本実施形態では、図２０（ｄ）の２００８においてユーザがＹｅｓを選択した場合に、集約印刷の設定の変更を他の物理ページにも反映するとＣＰＵ１０１が判定し、ステップＳ２２０３に進む。一方、図２０（ｄ）の２００８においてユーザがＮｏを選択した場合に、集約印刷の設定の変更を他の物理ページには反映しないとＣＰＵ１０１が判定し、ステップＳ２２０４に進む。
【００９１】
ステップＳ２２０３において、ＣＰＵ１０１は論理ページの移動先の物理ページだけでなく、他の物理ページも含むすべての物理ページの集約印刷の設定を変更する。図２０のように論理ページの移動先の物理ページの集約印刷の設定が２  ｉｎ  １から４  ｉｎ  １に変更になった場合には、ＣＰＵ１０１はすべての物理ページの集約印刷の設定を４  ｉｎ  １に変更する。
【００９２】
ステップＳ２２０４において、ＣＰＵ１０１は論理ページの移動先の物理ページの集約印刷の設定を変更する。このとき、ステップＳ２２０３とは異なり他の物理ページの集約印刷の設定は変更されない。
【００９３】
以上のように、本実施形態によれば、論理ページの移動先の物理ページに既に集約印刷の設定に基づく最大数の論理ページがレイアウトされている場合に、集約印刷の設定を変更するか否かをユーザが自身の目的に応じて選択することができる。また、集約印刷の設定を変更した場合に、すべての物理ページに反映するか否かをユーザが自身の目的に応じて選択することができる。
【００９４】
（実施形態３）
本実施形態では、図９及び図１０を用いて説明した集約印刷の設定の解除によって論理ページの回転が必要になった場合の処理に関して、印刷設定の内容に基づいて論理ページを回転させる方向を決定する方法について説明する。
【００９５】
図２３（ａ）のプレビュー画面２３００は、コピー画面２００においてユーザがボタン２０２を選択することにより操作部１０５に表示されるプレビュー画面である。本実施形態では、集約印刷の設定として２  ｉｎ  １、さらに、ステイプルの設定として左上にステイプルを行うことと、両面印刷が設定されていることとする。
【００９６】
プレビュー画面２３００には物理ページ２３０１〜２３０３が表示されていて、論理ページが２  ｉｎ  １でレイアウトされている。本実施形態では両面印刷が設定されているため、物理ページ２３０１の裏に物理ページ２３０２が印刷されることになる。２３０４〜２３０６はステイプルの位置を示している。
【００９７】
プレビュー画面２３００において、論理ページ２３０７をユーザがタッチして、物理ページ２３０１と物理ページ２３０２の間にドラッグして指を離すと、図２３（ｂ）のプレビュー画面２３１０のように物理ページ２３０８が新しく作成される。このとき、集約印刷の設定を維持せずに物理ページを作成することとする。すると、図１０（ｂ）で説明したように論理ページ２３０７を回転する必要があるが、本実施形態では、両面印刷及び左上にステイプルをすることが設定されているため、論理ページ２３０７は左回転し、論理ページ２３０９としてレイアウトされる。論理ページ２３０７を右回転ではなく左回転するのは、ユーザが実際の印刷物を手に取って閲覧する際に、図２４（ａ）のように論理ページ２３０９の視認性を向上させるためである。仮に論理ページ２３０７を右回転すると、図２４（ｂ）のように回転後の論理ページ２３０７の視認性は低下してしまう。
【００９８】
なお、図示しないが印刷設定として両面印刷及び右上にステイプルをすることが設定されている場合には、集約印刷の設定の解除によって論理ページの回転が必要になった場合の処理として左回転ではなく右回転が選択される。
【００９９】
以上のように、本実施形態によれば、集約印刷の設定の解除によって論理ページの回転が必要になった場合に、印刷設定の内容に基づいて論理ページを回転させる方向を決定することができるため、回転後の論理ページの視認性を向上させることができる。
【０１００】
（その他の実施形態）
上述した各実施形態は、印刷装置１００が備える操作部１０５に表示される画面上でのレイアウトの変更について説明したが、本発明はこれに限るものではない。印刷装置１００が備える操作部１０５の他に、例えばプリンタドライバをインストールしたＰＣや、集約印刷の設定を行うタブレット端末などにも本発明を適用することができる。
【０１０１】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０１０２】
１００  印刷装置
１０１  ＣＰＵ
１０２  ＲＯＭ
１０３  ＲＡＭ
１０４  ＨＤＤ
１０５  操作部
２００  コピー画面
３００  集約設定画面
４００  プレビュー画面
【図１】
2013103476.tif 000003
【図２】
2013103476.tif 000004
【図３】
2013103476.tif 000005
【図４】
2013103476.tif 000006
【図５】
2013103476.tif 000007
【図６】
2013103476.tif 000008
【図７】
2013103476.tif 000009
【図８】
2013103476.tif 000010
【図９】
2013103476.tif 000011
【図１０】
2013103476.tif 000012
【図１１】
2013103476.tif 000013
【図１２】
2013103476.tif 000014
【図１３】
2013103476.tif 000015
【図１４】
2013103476.tif 000016
【図１５】
2013103476.tif 000017
【図１６】
2013103476.tif 000018
【図１７】
2013103476.tif 000019
【図１８】
2013103476.tif 000020
【図１９】
2013103476.tif 000021
【図２０】
2013103476.tif 000022
【図２１】
2013103476.tif 000023
【図２２】
2013103476.tif 000024
【図２３】
2013103476.tif 000025
【図２４】
2013103476.tif 000026